(57)【要約】【課題】  底板の４か所の脚部により水平面に載置したとき底板を水平面から十分離間した位置に水平に支持し得る青果物収納箱を提供すること。【解決手段】  底板２と側壁３の両側に、境界用折目線７に平行で同一長さの脚用折目線８，８を形成し、両脚用折目線８の両端部間に脚用切目線９，９を形成し、脚用折目線８と脚用切目線９により形成された区画１０内に、底板２側にシフトした脚用内部折目線１１を形成し、側壁３を底板２に対して垂直に立ち上げて青果物収納箱を形成したとき、区画１０内において脚用内部折目線１１を中心として谷折部１３’を形成することで、脚用内部折目線１１が底板２の外面２ａより下方側に突出し、境界用折目線７に平行な直線状突部１３を有する脚部１２が形成され、この脚部１２を底板２の長手方向の両辺に沿って２か所ずつ計４か所に形成する。【選択図】  図１
2018177272.tif 000002
【特許請求の範囲】
【請求項１】
矩形の底板と該底板の四辺から垂直に立ち上がる４つの側壁からなる上面開口の青果物収納箱において、
短辺側の対向する側壁には上記上面開口を閉鎖する方向に延びる短閉鎖桟が各々形成され、
上記底板と長辺側の上記側壁との境界用折目線を挟んで上記底板と上記側壁の両側に、上記境界用折目線に平行でかつ互いに同一長さの脚用折目線が各々形成され、
かつ上記両脚用折目線の両端部間は上記境界用折目線に直交する脚用切目線によって各々接続され、
さらに上記脚用折目線と上記脚用切目線により形成された区画内に、上記境界用折目線は形成されず、上記区画内の上記底板側の領域に、上記境界用折目線の仮想延長線の位置より底板側にシフトした位置に脚用内部折目線が上記境界用折目線に平行に設けられ、
長辺側の上記側壁を上記底板に対して垂直に立ち上げた状態において、上記区画内が上記脚用内部折目線を中心として谷折部を形成することで、上記脚用内部折目線が上記底板の外面より下方側に突出され上記境界用折目線に平行な直線状突部を有する脚部が構成されるものであり、
上記直線状突部を有する同一の上記脚部が上記底板の長手方向の両辺に沿って２か所ずつ計４か所に形成されているものである青果物収納箱。
【請求項２】
上記青果物収納箱を上記脚部にて水平面に載置した状態において、
上記脚部によって上記底板の上記外面が上記水平面から一定の高さに水平に支持されるものである請求項１記載の青果物収納箱。
【請求項３】
上記青果物収納箱の複数個を上下に積み重ねた状態において、
上側の青果物収納箱における４つの上記脚部の上記各谷折部の各々の短辺側の外側面の４か所が、下側の青果物収納箱における上記両短閉鎖桟の対応する４か所の端部に係合することで、上下の青果物収納箱の長辺方向のずれが防止されるように構成されている請求項１又は２記載の青果物収納箱。
【請求項４】
上記底板と短辺側の上記両側壁の各境界用折目線に沿ってずれ防止用開口が各々設けられ、
短辺側の上記両側壁の各上縁の上記各ずれ防止用開口に対応する位置に突出片が各々設けられ、
上記青果物収納箱の複数個を上下に積み重ねた状態において、下側の青果物収納箱における上記突出片が、上側の青果物収納箱における上記ずれ防止用開口に嵌合されることで、上下の青果物収納箱の短辺方向のずれが防止されるように構成されている請求項１〜３の何れかに記載の青果物収納箱。
【請求項５】
上記青果物収納箱は、１枚のブランクを折り曲げることにより箱状に構成されたものであり、
短辺側の上記両側壁に各々折目線を介して上記短閉鎖桟が各々形成され、上記各短閉鎖桟の両側に桟用補強片が桟用折目線を介して各々形成され、上記各桟用補強片の上記底板側の辺に突片が各々設けられ、
長辺側の上記両側壁の各々の両側に補強片用折目線を介して側壁用補強片が各々形成されると共に、上記各補強片用折目線に沿ってロック用開口が各々設けられ、
長辺側の上記側壁の直立状態において、上記各側壁用補強片が長辺側の上記側壁に直交状態で短辺側の上記各側壁の内側に立設しており、
上記短閉鎖桟が水平となる組み立て状態において、上記各桟用補強片が上記短閉鎖桟に直交状態で長辺側の上記各側壁の内側に立設しており、
上記各桟用補強片は、上記立設した状態において、上記各突片が対応する上記ロック用開口に挿入嵌合されると共に、上記突片とは反対側の各端部が対応する上記脚部の上記谷折部の対向する内側面に係止されることで各々ロック状態となるものである請求項１〜４の何れかに記載の青果物収納箱。
【発明の詳細な説明】
【技術分野】
【０００１】
本発明は、トマト等の野菜或いは果実等を収納し得る青果物収納箱に関するものである。
【背景技術】
【０００２】
従来、青果物を収納するための段ボール製の収納箱は各種のものが市販されている。
【０００３】
例えば、収納箱を１枚のブランクにより組み立てられるように構成し、組み立て状態において、底面の四か所に突起が形成され、複数の収納箱を積み重ねたとき、これらの突起が下の収納箱の上面に係合し、上下の収納箱のずれを防止する構造のものが提案されている（特許文献１）。
【先行技術文献】
【特許文献】
【０００４】
【特許文献１】特開２０１５−１９６５４０号公報
【発明の概要】
【発明が解決しようとする課題】
【０００５】
ところで、上記従来の収納箱は、組み立て状態において、底面と側壁との間に、三角形状の傾斜壁が形成され、その傾斜壁の三角形の頂点を底面より下方に若干突出させる構成であるため、収納箱を上下に積み重ねた状態において、ずれ防止が十分に機能しないという課題があった。
【０００６】
また、上記突起の底面からの突出量が十分ではないため、当該収納箱を水平面に載置したとき、底面の略全域が水平面に接触してしまい、上記突起が脚部として機能し得ないという課題があった。
【０００７】
本発明は、底板に４か所の脚部が形成され、青果物収納箱を水平面に載置したとき、底板を水平面から十分に離間した位置に支持し得る青果物収納箱を提供することを目的とする。
【０００８】
また、本発明は、複数の青果物収納箱を多段に積み重ねたとき、確実にずれ防止を行うことができる青果物収納箱を提供することを目的とする。
【０００９】
また、本発明は、１枚のブランクから構成することができ、簡単に組み立て可能な青果物収納箱を提供することを目的とする。
【課題を解決するための手段】
【００１０】
上記の目的を達成するため本発明は、
第１に、矩形の底板と該底板の四辺から垂直に立ち上がる４つの側壁からなる上面開口の青果物収納箱において、短辺側の対向する側壁には上記上面開口を閉鎖する方向に延びる短閉鎖桟が各々形成され、上記底板と長辺側の上記側壁との境界用折目線を挟んで上記底板と上記側壁の両側に、上記境界用折目線に平行でかつ互いに同一長さの脚用折目線が各々形成され、かつ上記両脚用折目線の両端部間は上記境界用折目線に直交する脚用切目線によって各々接続され、さらに上記脚用折目線と上記脚用切目線により形成された区画内に、上記境界用折目線は形成されず、上記区画内の上記底板側の領域に、上記境界用折目線の仮想延長線の位置より底板側にシフトした位置に脚用内部折目線が上記境界用折目線に平行に設けられ、長辺側の上記側壁を上記底板に対して垂直に立ち上げた状態において、上記区画内が上記脚用内部折目線を中心として谷折部を形成することで、上記脚用内部折目線が上記底板の外面より下方側に突出され上記境界用折目線に平行な直線状突部を有する脚部が構成されるものであり、上記直線状突部を有する同一の上記脚部が上記底板の長手方向の両辺に沿って２か所ずつ計４か所に形成されているものである青果物収納箱により構成される。
【００１１】
このように構成すると、青果物収納箱の底板に下方に突出する直線状突部を有する４か所の脚部が形成され、これらの脚部により青果物収納箱を水平面に載置したとき、底板を水平面から十分に離間した位置に支持することができる。また、これらの脚部は境界用折目線に平行な直線状突部を有するので、青果物収納箱を水平面に安定して支持することができる。
【００１２】
第２に、上記青果物収納箱を上記脚部にて水平面に載置した状態において、上記脚部によって上記底板の上記外面が上記水平面から一定の高さに水平に支持されるものである上記第１記載の青果物収納箱により構成される。
【００１３】
これらの脚部により青果物収納箱を水平面に載置したとき、底板を水平面から一定の高さに水平に支持し得るので、内部の青果物を水平面より一定の高さに保持することができ、青果物収納箱の底板の外面と水平面との間に十分な空間を確保して、青果物を風通しの良い状態で保存することができる。
【００１４】
第３に、上記青果物収納箱の複数個を上下に積み重ねた状態において、上側の青果物収納箱における４つの上記脚部の上記各谷折部の各々の短辺側の外側面の４か所が、下側の青果物収納箱における上記両短閉鎖桟の対応する４か所の端部に係合することで、上下の青果物収納箱の長辺方向のずれが防止されるように構成されている上記第１又は２記載の青果物収納箱により構成される。
【００１５】
従って、複数の青果物収納箱を積み重ねたときに、長手方向のずれを効果的に防止することができる。
【００１６】
第４に、上記底板と短辺側の上記両側壁の各境界用折目線に沿ってずれ防止用開口が各々設けられ、短辺側の上記両側壁の各上縁の上記各ずれ防止用開口に対応する位置に突出片が各々設けられ、上記青果物収納箱の複数個を上下に積み重ねた状態において、下側の青果物収納箱における上記突出片が、上側の青果物収納箱における上記ずれ防止用開口に嵌合されることで、上下の青果物収納箱の短辺方向のずれが防止されるように構成されている第１〜３の何れかに記載の青果物収納箱。
【００１７】
従って、複数の青果物収納箱を積み重ねたときに、短辺方向のずれを効果的に防止することができる。
【００１８】
第５に、上記青果物収納箱は、１枚のブランクを折り曲げることにより箱状に構成されたものであり、短辺側の上記両側壁に各々折目線を介して上記短閉鎖桟が各々形成され、上記各短閉鎖桟の両側に桟用補強片が桟用折目線を介して各々形成され、上記各桟用補強片の上記底板側の辺に突片が各々設けられ、長辺側の上記両側壁の各々の両側に補強片用折目線を介して側壁用補強片が各々形成されると共に、上記各補強片用折目線に沿ってロック用開口が各々設けられ、上記長辺側の上記側壁の直立状態において、上記各側壁用補強片が長辺側の上記側壁に直交状態で短辺側の上記各側壁の内側に立設しており、上記短閉鎖桟が水平となる組み立て状態において、上記各桟用補強片が上記短閉鎖桟に直交状態で長辺側の上記各側壁の内側に立設しており、上記各桟用補強片は、上記立設した状態において、上記各突片が対応する上記ロック用開口に挿入嵌合されると共に、上記突片とは反対側の各端部が対応する上記脚部の上記谷折部の対向する内側面に係止されることで各々ロック状態となるものである上記第１〜４の何れかに記載の青果物収納箱により構成される。
【００１９】
このように構成すると、青果物収納箱を１枚のブランクから容易に組み立てることができると共に、青果物収納箱の４つのコーナ部において、各桟用補強片は各突片がロック用開口に挿入嵌合されると共に、各桟用補強片の端部が対応する脚部の谷折部の内側面に係止されることでロックされるので、組み立て状態の青果物収納箱の各側壁の変形を防止して当該収納箱を強固に構成することができる。
【発明の効果】
【００２０】
本発明によれば、青果物収納箱の底板に下方に突出する直線状突部を有する４か所の脚部が形成され、これらの脚部により青果物収納箱を水平面に載置したとき、底板を水平面から十分に離間した位置に支持することができる。
【００２１】
また、これらの脚部は境界用折目線に平行な直線状突部を有するので、青果物収納箱を水平面に安定して支持することができる。
【００２２】
また、これらの脚部により青果物収納箱を水平面に載置したとき、底板を水平面から一定の高さに水平に支持し得るので、内部の青果物を水平面より一定の高さに保持することができ、青果物収納箱の底板の外面と水平面との間に十分な空間を確保して、青果物を風通しの良い状態で保存することができる。
【００２３】
また、複数の青果物収納箱を積み重ねたときに、長手方向のずれを効果的に防止することができる。
【００２４】
また、複数の青果物収納箱を積み重ねたときに、短辺方向のずれを効果的に防止することができる。
【００２５】
また、青果物収納箱を１枚のブランクから容易に組み立てることができると共に、青果物収納箱の４つのコーナ部において、各桟用補強片は各突片がロック用開口に挿入嵌合されると共に、各桟用補強片の端部が対応する脚部の谷折部の内側面に係止されることでロックされるので、組み立て状態の青果物収納箱の各側壁の変形を防止して当該収納箱を強固に構成することができる。
【図面の簡単な説明】
【００２６】
【図１】本発明に係る青果物収納箱の展開図である。
【図２】同上収納箱の組み立て状態の斜視図である。
【図３】同上収納箱の脚部を中心とする拡大斜視図である。
【図４】同上収納箱の脚部を中心とする拡大斜視図である。
【図５】同上収納箱の組み立て状態の裏面側斜視図である。
【図６】同上収納箱の組み立て状態の斜視図である。
【図７】同上収納箱の組み立て状態の斜視図である。
【図８】同上収納箱の突片の近傍の拡大部分斜視図である。
【図９】同上収納箱の桟用補強片の近傍の拡大斜視図である。
【図１０】同上収納箱の斜視図である。
【図１１】同上収納箱の裏面側の斜視図である。
【図１２】同上収納箱の底面図である。
【図１３】２個の同上収納箱を重ねる状態を示す斜視図である。
【図１４】２個の同上収納箱を重ねた状態の斜視図である。
【図１５】２個の同上収納箱を重ねた状態の側面図である。
【図１６】２個の同上収納箱を重ねた状態の正面図である。
【図１７】図１の展開図における脚部の近傍の拡大図である。
【図１８】同上収納箱の脚部の縦断面図である。
【図１９】同上収納箱を水平面に載置した状態の正面図である。
【発明を実施するための形態】
【００２７】
以下、添付図面に基づいて本発明に係る青果物収納箱について詳細に説明する。
【００２８】
本発明に係る青果物収納箱１は、図１０に示すように、矩形（本実施形体の場合は長方形状）の底板２と該底板２の四辺から垂直に立ち上がる４つの側壁（長辺側）３，３、側壁（短辺側）４，４からなる上面開口５の箱から構成されており、短辺側の対向する側壁４，４の各々の上縁には上記上面開口５を閉鎖する方向に延びる短閉鎖桟６，６が各々対向して形成されている。
【００２９】
この青果物収納箱１は、図１に示す段ボール紙製の１枚のブランク１’から構成されており、当該ブランク１’を折り曲げることにより、図１０の青果物収納箱１を構成することができる。尚、図１においてはブランク１’の内面（組み立て状態において内側となる方）を示しており、図示されたブランク１’の裏面側を外面とする。また、図１において、紙面に向かって左右方向を「左右」と定義する。
【００３０】
上記底面２には、長辺側の上記側壁３，３に沿って２個ずつ、計４個の脚部１２ａ，１２ａ，１２ｂ，１２ｂが各々形成されている（図１、図１１参照）。これらの脚部１２は、上記同一の側壁３に沿って形成された２個の脚部１２ａ，１２ａ（１２ｂ，１２ｂ）は同一構造、対向する側壁３に沿って形成された脚部１２ｂ，１２ｂは、上記脚部１２ａ，１２ａと対称構造（図１において左右方向の中心線に対して線対称）となっている（図１２参照）。尚、上記脚部を示す場合は符号「１２」を用い、位置を特定する場合は、符号「１２ａ」又は符号「１２ｂ」と表記する。
【００３１】
そこで、１つの脚部１２ａのブランク１’における構造を図１、図１７等に基づいて以下説明する。尚、図１のブランク１’は、箱の内側となる面を見たもので、図中、破線は内側面に形成された「折目線」を示し、実線はブランク１’の表裏を貫通している「切目線」を示す。
【００３２】
図１のブランク１’において、上記底板２と長辺側の上記側壁３との境界用折目線７を挟んで両側（底板２と側壁３）に、上記境界用折目線７に平行でかつ互いに同一長さの脚用折目線８，８が各々平行に形成され、かつ上記両脚用折目線８，８の両端部８ａ，８ａ’間（底板２側の上記脚用折目線８の一端部８ａ’と、側壁３側の脚用折目線８の一端部８ａ間、及び、底板２側の脚用折目線８の他端部８ａ’と、側壁３側の脚用折目線８の他端部８ａ間）は、上記端部８ａ，８ａ’、端部８ａ，８ａ’同士を結ぶように、上記境界用折目線７に直交する脚用切目線９，９が形成され、上記各端部８ａ，８ａ’、端部８ａ，８ａ’は上記脚用切目線９，９によって各々接続されている（図１７も参照）。
【００３３】
さらに２本の上記脚用折目線８，８と２本の上記脚用切目線９，９により形成された区画１０内に、上記境界用折目線７は形成されておらず、上記区画１０内の上記底板２側の領域に、上記境界用折目線７の仮想延長線（区画１０内において、両側の境界用折目線７，７を結ぶ仮想線ｐ、図１７参照）の位置より底板２側にシフトした位置に脚用内部折目線１１が上記境界用折目線７に平行に設けられている。
【００３４】
このような構成の脚部１２は、図１に示すように、一方の側壁３と底板２との間に、所定間隔を以って２個設けられ（脚部１２ａ，１２ａ）、対向する他方の側壁３と上記底板３との間に、対称構造の脚部１２ｂ，１２ｂが、対称位置に２個設けられている。
【００３５】
そして、長辺側の上記側壁３，３を上記底板２に対して垂直に立ち上げた状態において（図２参照）、上記区画１０内が上記脚用内部折目線１１を中心として谷折りとなって谷折部１３’を形成することで、上記脚用内部折目線１１が上記底板２より下方側に十分に突出され上記境界用折目線７に平行な直線状突部１３（図４参照）を有する脚部１２が構成されるものである。即ち、同一の上記直線状突部１３を有する上記脚部１２が上記底板２の長手方向の両辺に沿って２か所ずつ、計４か所に形成される（図５、図１１、図１２参照）。
【００３６】
ここで図１８に示すように、上記脚用切目線９における上記境界用折目線７から端部８ａまでの長さｔ１と、上記脚用切目線９における脚用内部折目線１１から端部８ａまでの長さｔ２との関係は、ｔ１＜ｔ２となっているので、上記底板２から上記側壁３を直立させると、上記区画１０が谷折りとなり、上記底板２の外面２ａから下方に直線状突部１３が高さｔ３に亘り突出した状態となる。
【００３７】
図１に示すように、上記ブランク１’における長方形の底板２の対向する両短辺側には、上記境界用折目線７，７に直交する境界用折目線７’，７’を介して、短辺側の側壁４，４が形成され、さらに、短辺側の上記側壁４，４に、上記境界用折目線７’、７’に平行の折目線１９，１９を介して、上記短閉鎖桟６，６が一体に形成され、上記短閉鎖桟６，６の両側に、桟用補強片６’，６’が桟用折目線１４，１４（上記折目線１９に直交している）を介して各々一体に形成され、上記桟用補強片６’，６’の上記底板２側の辺に突片６ａ，６ａが各々設けられている。
【００３８】
また、上記桟用補強片６’，６’の上記突片６ａ，６ａの反対側には、後述の谷折部１３’の内側面１３ａ（図７、図９参照）に係止する端部６ｃ，６ｃが形成されている。
【００３９】
一方、上記長辺側の上記側壁３，３の両側に補強片用折目線１５，１５（境界用折目線７に直交している）を介して側壁用補強片３’，３’が各々形成されると共に、上記補強片用折目線１５，１５に沿ってロック用開口１６，１６（４か所）が設けられている。
【００４０】
そして、図１０に示すように、上記長辺側の上記側壁３，３の直立状態において、上記側壁用補強片３’，３’が上記側壁３，３に直交状態で上記短辺側の上記側壁４，４の内側に立設しており、上記短閉鎖桟６，６の水平となる組み立て状態において（図１０参照）、上記桟用補強片６’，６’が上記短閉鎖桟６，６に直交状態で上記長辺側の上記側壁３，３の内側に立設しており、この立設状態で、図９に示すように、上記桟用補強片６’，６’の上記端部６ｃ，６ｃは、上記脚部１２の上記直線状突部１３を形成する谷折部１３’の対向する内側面１３ａに係止されると共に、図８に示すように、上記各突片６ａ，６ａが上記ロック用開口１６，１６に挿入嵌合されることで、上記桟用補強片６’，６’は、上記内側面１３ａと上記側壁用補強片３’との間に確実にロックされるように構成されている。尚、短辺側の上記両側壁４，４の両側には上記突片６ａ，６ａを避けるための切欠２０，２０が形成されている（図８、図１参照）。
【００４１】
即ち、上記桟用補強片６’，６’は、上記直線状突部１３の対向する内側面１３ａへの係止と、上記各突片６ａの上記ロック用開口１６への挿入嵌合により、二重にロックされるように構成されている。従って、上記各桟用補強片６’，６’は、上記立設状態において、上記各突片６ａ，６ａが対応する上記ロック用開口１６，１６に挿入嵌合されると共に、上記突片６ａとは反対側の各端部６ｃが対応する上記脚部１２の上記谷折部１３’の対向する内側面１３ａに係止されることで各々ロック状態となっている。
【００４２】
また、上記青果物収納箱１の複数個を上下に積み重ねた状態において、４つの上記脚部１２の上記各直線状突部１３を形成する上記谷折部１３’の各々の短辺側の外側面１３ｂ，１３ｂ，１３ｂ，１３ｂの４か所が（図１１、図１２参照）、下側の他の青果物収納箱１の各々上記両短閉鎖桟６，６の対応する四か所の端部６ｂ，６ｂに係合することで、各青果物収納箱１の長辺方向のずれが防止されるように構成されている（図１３、図１４参照）。上記両短閉鎖桟６，６の上記縁部６ｂ，６ｂ間は、凹部６ｄ，６ｄ（図１参照）が形成され、収納箱１内の内容物（青果物）が取り出し易く構成されている。
【００４３】
さらに、上記底板２と上記短辺側の上記両側壁４，４の各境界用折目線７’，７’に沿ってずれ防止用開口１７，１７が上記境界用折目線７’，７’の中央部に各々設けられ、一方、上記短辺側の上記両側壁４，４の各上縁の上記各ずれ防止用開口１７，１７に対応する位置に各々突出片１８，１８が各々設けられている。具体的には、上記側壁４，４の上記折目線１９，１９の中央部に、側壁４，４から上記短閉鎖桟６，６に向けて「コ」字型切目線１８ａ，１８ａを左右対称に設け（図１参照）、図７に示すように、上記側壁４，４に対して上記短閉鎖桟６，６を上記折目線１９，１９に沿って直角に折り曲げたとき、上記突出片１８，１８が上記側壁４，４に沿って上向きに立ち上がるように構成する。
【００４４】
そして、上記青果物収納箱１の複数個を上下に積み重ねた状態において（図１５参照）、上記突出片１８，１８が、上側に位置する青果物収納箱１の上記ずれ防止用開口１７，１７に嵌合挿入されることで、各青果物収納箱１，１の短辺方向のずれが防止されるように構成されている。従って、上記開口１７，１７の幅は、上記突出片１８の幅と略同一か、或いは若干幅広に開口形成されており、図１５に示すように、２つの青果物収納箱１を上下に積み重ねたとき、下側の上記突出片１８が上側の青果物収納箱１の上記開口１７に嵌合し、青果物収納箱１の短辺方向のずれを防止し得るように構成されている。
【００４５】
本発明は上述のように構成されるので、図１の状態から青果物収納箱１を組み立てるには、まず図２に示すように底板２に対して、境界用折目線７，７を介して、長辺側の側壁３，３を垂直に立ち上げ、４か所の側壁用補強片３’を各々側壁３，３に対して直角に内側に折り曲げて各々境界用折目線７’上に直立状態に位置させる。
【００４６】
このとき、上記脚部１２は、上記底板２に対して側壁３が直角に立ち上がることにより、その区画１０内が、脚用内部折目線１１を中心として下に凸の谷折りとなり、谷折部１３’が形成され、その結果、底板２の外面２ａから高さｔ３にて脚部１２の直線状突部１３が突出形成される（図４参照）。従って、上記底板２の外面２ａには、図５に示すように、底板２の長辺に平行な直線状突部１３を有する４つの脚部１２（長辺の一方側に沿って脚部１２ａ，１２ａ、長辺の他方側に沿って脚部１２ｂ，１２ｂ）が形成される。
【００４７】
その後、図６に示すように、底板２に対して境界用折目線７’を介して、短辺側の側壁４を垂直に立ち上げると共に、上記側壁４に対してさらに折目線１９を介して、短閉鎖桟６を直角に折り曲げつつ、両側の桟用補強片６’，６’を桟用折目線１４，１４に沿って互いに内側に直角に折り曲げて上記側壁３，３に平行とし、これら桟用補強片６’，６’を長辺側の側壁３，３の内側に位置させる（図６参照）。
【００４８】
そして、上記側壁４に対して上記短閉鎖桟６を、水平になるまで、直角に折り曲げていくと、上記桟用補強片６’，６’は上記短閉鎖桟６の折り曲げに伴って短辺側に回転し（図６の矢印Ａ方向）、最終的に、図７、図９に示すように、上記桟用補強片６’の端部６ｃが上記脚部１２の谷折部１３’の短辺側の内側面１３ａに係止し、かつ、上記突片６ａが対向するロック用開口１６に挿入嵌合されて、図９に示す位置において、上記桟用補強片６’がロック状態となる。このとき側壁４には両側に切欠２０が形成されているので（図８参照）、上記突片６ａが上記ロック用開口１６を挿通しても上記突片６ａは上記側壁４に接触せず、側壁４と側壁３の直交状態は維持される。尚、上記開口１６は上記側壁補強片３’に形成されているので、上記ロック状態においては、上記桟用補強片６’は上記側壁補強片３’にも係合していることになり、図８に示すように、側壁３の外側方向（矢印Ｂ方向）への傾倒（変形）が阻止されて、形崩れしない強固な果実収納箱１を構成することができる。
【００４９】
同様に、もう一方の上記側壁４に対して上記短閉鎖桟６を、水平になるまで、直角に折り曲げていくと、上記桟用補強片６’，６’は上記短閉鎖桟６の折り曲げに伴って短辺側に回転し（図７参照）、最終的に、図１０に示すように、上記桟用補強片６’の端部６ｃが上記脚部１２の谷折部１３’の短辺側の内側面１３ａに係止し、かつ、上記突片６ａが対向するロック用開口１６に挿入嵌合されて、図１０に示す位置において、上記桟用補強片６’がロックされる。
【００５０】
このような桟用補強片６’と側壁補強片３’との上述のような強固なロック構造は、図１０に示すように、当該青果物収納箱１の四つのコーナ部Ｃ１〜Ｃ４にて同様に構成されるため、青果物収納箱１として変形のない強固な箱を構成することができる。また、上記桟用補強片６’の上記ロック状態は、当該桟用補強片６’を矢印Ａ方向に回転するだけで実現できるため、ワンタッチ動作にて行うことができ、青果物収納箱１の組み立て作業も容易である。
【００５１】
また、上記短閉鎖桟６を上記側壁４に対して直角に折り曲げると、「コ」字型切目線１８ａに沿って段ボール紙が切断され、自動的に突出片１８が立ち上がる。
【００５２】
以上の工程により、図１０に示す青果物収納箱１を構成することができる。この青果物収納箱１は、図１１に示すように、底板２の４か所に、底板２の外面２ａから十分な高さｔ３で突出する４つの直線状突部１３，１３，１３，１３が形成されているため、当該青果物収納箱１を水平面に載置したとき、上記底板１の外面２ａを、水平面から十分な高さｔ３の位置に支持することができる（図１９参照）。このとき、青果物収納箱１の底板２の外面２ａは上記水平面に接触することはない。勿論、青果物収納箱１内にトマト等の青果物を収納した状態においても、上記外面２ａは上記水平面に接触せず、上記底板２を水平面から高さｔ３の位置に保持することができる。従って、底板２の下側の通気性を確保することができ、青果物収納箱１内の青果物を新鮮な状態で収納保持、保存することができる。
【００５３】
また、上記脚部１２は段ボール紙を谷折り状態とすることにより構成されているので、緩衝性を有している（図１８参照）。従って、上記底板２を水平面から浮かすことにより、輸送時の底板２からくる振動による収納物への衝撃を軽減することもできる。
【００５４】
また、４か所の上記脚部１２，１２，１２，１２は、上記青果物収納箱１の長辺側の側壁３，３に平行な直線部分を有する直線状突部１３，１３，１３，１３を左右の２個ずつ有しているので、これらの脚部１２，１２，１２，１２を以って当該青果物収納箱１を水平面に載置したとき、上記脚部１２，１２，１２，１２により安定して青果物収納箱１を支持することができる。
【００５５】
また複数の青果物収納箱１を積み重ねたときは、図１３に示すように、上側の青果物収納箱１の４つの脚部１２，１２，１２，１２の谷折部１３’，１３’，１３’，１３’の短辺側の外側面１３ｂ，１３ｂ，１３ｂ，１３ｂが、上記短閉鎖桟６，６の各端部６ｂ，６ｂ，６ｂ，６ｂに係合するため（図１４参照）、各青果物収納箱１の長辺方向のずれを確実に防止することができる。
【００５６】
さらに、複数の青果物収納箱１を積み重ねたときは、図１５に示すように、下側の青果物収納箱１の突出片１８が上側の青果物収納箱１の開口１７に挿入され、これにより各青果物収納箱１の短辺方向のずれを確実に防止することができる。
【００５７】
以上のように本発明によれば、青果物収納箱１の底板２に下方に突出する直線状突部１３を有する４か所の脚部１２が形成され、これらの脚部１２により青果物収納箱１を水平面に載置したとき、底板２を水平面から十分に離間した位置に支持することができる。
【００５８】
また、これらの脚部１２は境界用折目線７に平行な直線状突部１３を有するので、青果物収納箱１を水平面に安定して支持することができる。
【００５９】
また、これらの脚部１２により青果物収納箱１を水平面に載置したとき、底板２を水平面から一定の高さに水平に支持し得るので、内部の青果物を水平面より一定の高さに保持することができ、青果物収納箱１の底板２の外面２ａと水平面との間に十分な空間を確保して、青果物を風通しの良い状態で保存することができる。
【００６０】
また、複数の青果物収納箱１を積み重ねたときに、長手方向のずれを効果的に防止することができる。
【００６１】
また、複数の青果物収納箱１を積み重ねたときに、短辺方向のずれを効果的に防止することができる。
【００６２】
また、青果物収納箱１を１枚のブランク１’から容易に組み立てることができると共に、青果物収納箱１の４つのコーナ部において、各桟用補強片６’は各突片６ａがロック用開口１６に挿入嵌合されると共に、各桟用補強片６’の端部６ｃが対応する脚部１２の谷折部１３’の内側面１３ａに係止されることでロックされるので、組み立て状態の青果物収納箱１の各側壁３，４の変形を防止して当該収納箱１を強固に構成することができる。
【００６３】
さらに、上記脚部を構成する脚用折目線の位置、脚用内部折目線の位置、脚用切目線の位置、長さ等を変更することにより脚部の高さ（ｔ３）、脚部の大きさ、脚部（直線状突部１３）の長さ等を容易に変更することができ、内部に収納される青果物の種類により、底板の高さ、位置等を各種設定することができる。
【００６４】
また、上記脚部１２の緩衝性に基づいて、青果物に対する輸送時の振動による衝撃を軽減することもできる。
【産業上の利用可能性】
【００６５】
本発明に係る青果物収納箱によれば、青果物収納箱を水平面に設置したとき底板を水平面から十分な高さに設置保持し得るため、内部の青果物を風通しの良い状態で保存することができるし、１枚のブランクにより強固な青果物収納箱を簡易に形成することができ、広く利用されることが期待されるものである。
【符号の説明】
【００６６】
１          青果物収納箱
１’        ブランク
２          底板
３          側壁（長辺側）
３’        側壁用補強片
４          側壁（短辺側）
５          上面開口
６          短閉鎖桟
６’        桟用補強片
６ａ        突片
６ｃ        端部
７          境界用折目線
７’        境界用折目線
８          脚用折目線
１０        区画
１１        脚用内部折目線
１２        脚部
１２ａ，１２ｂ  脚部
１３        直線状突部
１３’      谷折部
１４        桟用折目線
１５        補強片用折目線
１６        ロック用開口
１７        ずれ防止用開口
１８        突出片
１９        折目線
ｔ３        高さ
【図１】
2018177272.tif 000003
【図２】
2018177272.tif 000004
【図３】
2018177272.tif 000005
【図４】
2018177272.tif 000006
【図５】
2018177272.tif 000007
【図６】
2018177272.tif 000008
【図７】
2018177272.tif 000009
【図８】
2018177272.tif 000010
【図９】
2018177272.tif 000011
【図１０】
2018177272.tif 000012
【図１１】
2018177272.tif 000013
【図１２】
2018177272.tif 000014
【図１３】
2018177272.tif 000015
【図１４】
2018177272.tif 000016
【図１５】
2018177272.tif 000017
【図１６】
2018177272.tif 000018
【図１７】
2018177272.tif 000019
【図１８】
2018177272.tif 000020
【図１９】
2018177272.tif 000021